(57)【要約】      （修正有）【課題】被洗浄物の指が届かない箇所や、隅、溝等も容易に洗浄可能な食器洗を提供する。【解決手段】食器洗本体１０の内部に折り目２２を有する板状の芯地２０を埋設する。すなわち、スポンジや不織布等の柔軟素材を塊状に形成した食器洗本体１０の内部に板状の芯地２０を埋設し、板状の芯地２０に予め設けられた折り目２２に沿って食器洗本体１０が折り曲げ可能とする。【選択図】図１
0003220951.tif 000002
【実用新案登録請求の範囲】
【請求項１】
スポンジや不織布等の柔軟素材を塊状に形成した食器洗本体の内部に板状の芯地を埋設した食器洗であって、
前記芯地に設けられた折り目に沿って前記食器洗本体が折り曲げ可能なことを特徴とする食器洗。
【請求項２】
前記芯地に複数の貫通孔が設けられたことを特徴とする請求項１に記載の食器洗。
【請求項３】
前記食器洗本体が、一対の対向する第１の平面部と第２の平面部と前記第１の平面部と前記第２の平面部間の側壁部とから構成される外形を有することを特徴とする請求項１又は２に記載の食器洗。
【請求項４】
前記芯地の形状が前記芯地と同一の平面における前記食器洗本体の断面形状よりもひと回り小さいことを特徴とする請求項１〜３のいずれか１項に記載の食器洗。
【請求項５】
前記芯地の中央部に左右一対のくびれを設けたことを特徴とする請求項１〜３のいずれか１項に記載の食器洗
【請求項６】
前記第１の平面部と前記第２の平面部の形状が略鼓形であることを特徴とする請求項３〜５のいずれか１項に記載の食器洗。
【請求項７】
前記食器洗本体と前記芯地とが切れ目を有し、前記切れ目が前記側壁部の表面から前記第１の平面と前記第２の平面間を貫通する態様で前記食器洗本体の内部に向かって形成されていることを特徴とする請求項３〜６のいずれか１項に記載の食器洗。
【考案の詳細な説明】
【技術分野】
【０００１】
本考案は、食器洗、特にスポンジや不織布等の柔軟な素材からなる食器洗に関するものである。
【背景技術】
【０００２】
食器洗には、スポンジや不織布を塊状にしたものや、直方体形状をしたスポンジの一側面に不織布を設けたもの等があるが、これらは洗浄する対象物によって硬さや形状を使い分ける必要があった。
例えば、皿を洗浄する場合は、直方体形状のスポンジを使用することになるが、哺乳瓶を洗浄する場合は柄の付いた細長い専用スポンジを使用することになる。
これは、直方体形状のスポンジでは腰が弱く、指先が哺乳瓶の底まで届かないことから、スポンジを哺乳瓶の底に押し付けることができないからである。
そこで、このような細長い筒状の食器を洗浄するために、棒状又は板状の芯材を埋設した食器洗（特許文献１参照）が提案されている。特許文献１の食器洗は、食器洗の内部に棒状又は板状の芯材を埋設したことにより、食器洗に埋設された芯材の軸方向の力に対して腰を発揮する。
【先行技術文献】
【特許文献】
【０００３】
【特許文献１】公開実用  昭和６２-１０９０５９
【考案の概要】
【考案が解決しようとする課題】
【０００４】
しかしながら特許文献１の食器洗では、芯材がスポンジの中心部のみにあることが原因で、被洗浄物の底面の隅やプラスチック製の食品保存容器の蓋に設けられている細い溝は洗浄出来ないという問題があった。
プラスチック製食品保存容器の蓋に設けられている細い溝を洗浄する場合は、剛性のあるスポンジを用いて、その端部を溝にあてがい洗浄することになるが、今度はプラスチック製食品保存容器の表面に細かい傷が付くという問題がある。
【０００５】
そこで、本考案は、上記の問題点を解決すべく、被洗浄物の指が届かない箇所や、隅、溝等も容易に洗浄可能な食器洗を提供することを課題としている。
【課題を解決するための手段】
【０００６】
本考案は、食器洗本体の内部に折り目を有する板状の芯地を埋設した食器洗である。
【０００７】
すなわち、第１の本考案は、スポンジや不織布等の柔軟素材を塊状に形成した食器洗本体の内部に板状の芯地を埋設した食器洗であって、芯地に設けられた折り目に沿って食器洗本体が折り曲げ可能なことを特徴とする食器洗である。
【０００８】
第１の本考案は、一般的に食器洗に用いられているスポンジや不織布等の内部中央に板状の芯地を埋設している。この板状の芯地には、予め折り目が設けられており、食器洗本体はこの折り目に沿って折り曲げることができる。
【０００９】
芯地には硬さと弾力のある素材が用いられ、折り目となる箇所には直線状の溝が設けられている。折り目は一本とは限らず、並行に複数設けられてもよく、また交差してもよい。
芯地の素材としては、シリコン樹脂、エチレン−酢酸ビニル共重合体（ＥＶＡ）、ポリエチレン（ＰＥ）が好適である。適度な硬さと弾力を有するからである。
【００１０】
第１の本考案に係る食器洗を手に持って折り目に沿って屏風のように折り曲げて使用すると、芯地の剛性により深さのある細いコップでも底まできれいに汚れを除去することができる。
また、第１の本考案に係る食器洗の角をプラスチック製保存容器の蓋に設けられている溝に沿って滑らせると、芯地の剛性により、一度で汚れを除去することができる。
比較的幅のある溝の場合は、第１の本考案に係る食器洗を折り目に沿って折り曲げ、その折り目の箇所を溝に沿わせて滑らせるとよい。
【００１１】
次に第２の本考案は、第１の本考案において芯地に複数の貫通孔が設けられたことを特徴とする食器洗である。
【００１２】
芯地に複数の貫通孔が設けられていることで、食器洗の中央部での液体の流動が可能となり、使用時の洗剤の通りと水切れが良くなる。
【００１３】
そして第３の本考案は、第１又は第２の本考案において、食器洗本体が、一対の対向する第１の平面部と第２の平面部と第１の平面部と第２の平面部間の側壁部とから構成される外形を有することを特徴とする食器洗である。対抗する平面部が有ることで、被洗浄物の平面部を効率よく洗浄することができる。
【００１４】
そして、第４の本考案は、第１〜第３のいずれか一つの考案において、芯地の形状が芯地と同一の平面における食器洗本体の断面形状よりもひと回り小さいことを特徴とする食器洗である。
【００１５】
食器洗の側壁部表面と芯地の距離が近いことで、被洗浄物に接している箇所の食器洗本体の剛性が保たれる。
一般的な食器洗では、指で押しつけた箇所のみが筋状に洗浄されることになるが、第４の本考案の食器洗は食器洗の側壁部の表面近くまで直線状に芯地があることで、芯地をしならせながら被洗浄物の平面をなぞるように使用すると、一般的な柔らかいスポンジを指数本で押し付けてなぞるよりも均一に被洗浄物の汚れを除去できる。
【００１６】
続いて第５の本考案は、第１〜第３のいずれか一つの考案において、芯地の中央部に左右一対のくびれを設けたことを特徴とする食器洗である。食器洗の芯地に左右一対のくびれが有ることで、食器洗を指で掴み易くなる。
【００１７】
続いて第６の本考案は、第３〜第５のいずれか一つの考案において、第１の平面部と第２の平面部の形状が略鼓形であることを特徴とする食器洗である。
【００１８】
一般的な直方体の形状を有する食器洗で、哺乳瓶を洗浄すると、哺乳瓶の口からすぐ下の曲面部には食器洗の表面が届かず、うまく洗浄することができない。また、哺乳瓶の底の隅にも食器洗の表面が届かず、うまく洗浄することができない。
これに対して、第６の本考案に係る食器洗では、側面が中央部に向かって絞られている略鼓形の形状の効果として、哺乳瓶の口からすぐ下の曲面部も、また底の隅もきれいに洗浄することができる。
第６の本考案には、中央部にくびれを設けたものも含まれ、この場合はさらに指で持ち易くなる。
【００１９】
続いて第７の本考案は、第３〜第６のいずれか一つの考案において、食器洗本体と芯地とが切れ目を有し、切れ目が側壁部の表面から第１の平面と第２の平面間を貫通する態様で食器洗本体の内部に向かって形成されていることを特徴とする食器洗である。
【００２０】
被洗浄物の表面に凹凸がある場合には、切れ目によって区切られた各部分が独立して被洗浄物の表面を摺動することになるので、凹凸のある被洗浄物や曲線部のある被洗浄物でも隅々まできれいに洗浄することができる。また板状や棒状の被洗浄物を切れ目に挟み込むことで被洗浄物の両面を同時に洗浄することができる。
【考案の効果】
【００２１】
上記の基本的な構成からなる第１の本考案は、深さがあり指が届かない容器の隅々まで洗浄することができ、さらに容器の細い溝もきれいに効率よく洗浄することができる。
そして第２の本考案は、使用時の洗剤の通りと水切れが良くなる。
そして第３の本考案は、被洗浄物の平面部を効率よく洗浄することができる。
そして第４の本考案は、一般的な柔らかいスポンジを指数本で押し付けてなぞるよりも均一に被洗浄物の汚れを除去できる。
そして第５の本考案は、一般的な食器洗よりも食器洗を指で掴み易い。
そして第６の本考案は、上部が細く、下部が太い容器でも効率よくきれいに洗浄することができる。
そして第７の本考案は、凹凸のある被洗浄物や曲面部のある被洗浄物でも隅々まできれいに洗浄することができる。
【図面の簡単な説明】
【００２２】
【図１】本考案の第１実施例の構造を示す斜視図である。
【図２】本考案の第１実施例の断面図である。
【図３】本考案の第1実施例の使用状態を示す図である。
【図４】本考案の第１実施例の使用状態を示す図である。
【図５】本考案の第１実施例の使用状態を示す図である。
【図６】本考案の第２実施例の構造を示す斜視図である。
【図７】本考案の第３実施例の構造を示す斜視図である。
【図８】本考案の第４実施例の構造を示す斜視図である。
【図９】本考案の第５実施例の構造を示す斜視図である。
【図１０】本考案の第６実施例の構造を示す斜視図である。
【図１１】本考案の第７実施例の構造を示す斜視図である。
【図１２】本考案の第８実施例の構造を示す斜視図である。
【図１３】本考案の第９実施例の構造を示す斜視図である。
【図１４】本考案の第１０実施例の構造を示す斜視図である。
【図１５】本考案の第１１実施例の構造を示す斜視図である。
【図１６】本考案の第１２実施例の構造を示す斜視図である。
【図１７】本考案の第１３実施例の構造を示す斜視図である。
【図１８】本考案の第１４実施例の構造を示す斜視図である。
【図１９】本考案の第１５実施例の構造を示す斜視図である。
【図２０】本考案の第１６実施例の構造を示す斜視図である。
【図２１】本考案の第１７実施例の構造を示す斜視図である。
【図２２】本考案の第１８実施例の構造を示す斜視図である。
【図２３】本考案の第１９実施例の構造を示す斜視図である。
【図２４】本考案の第２０実施例の構造を示す斜視図である。
【図２５】本考案の第２１実施例の構造を示す斜視図である。
【図２６】本考案の第２２実施例の構造を示す斜視図である。
【図２７】本考案の第２３実施例の構造を示す斜視図である。
【図２８】本考案の第２４実施例の構造を示す斜視図である。
【図２９】本考案の第２５実施例の構造を示す斜視図である。
【図３０】本考案の第２６実施例の構造を示す斜視図である。
【図３１】本考案の第２７実施例の構造を示す斜視図である。
【図３２】本考案の第２８実施例の構造を示す斜視図である。
【図３３】本考案の第２９実施例の構造を示す斜視図である。
【図３４】本考案の第３０実施例の構造を示す斜視図である。
【図３５】本考案の第３１実施例の構造を示す斜視図である。
【図３６】本考案の第３０実施例の使用状態を示す図である。
【図３７】本考案の第３０実施例の使用状態を示す図である。
【図３８】本考案の第３２実施例の構造を示す斜視図である。
【図３９】本考案の第３３実施例の構造を示す斜視図である。
【図４０】本考案の第３４実施例の構造を示す斜視図である。
【図４１】本考案の第３５実施例の構造を示す斜視図である。
【図４２】本考案の第３６実施例の構造を示す斜視図である。
【図４３】本考案の第３７実施例の構造を示す斜視図である。
【図４４】本考案の第３８実施例の構造を示す斜視図である。
【図４５】本考案の第３９実施例の構造を示す斜視図である。
【図４６】本考案の第４０実施例の構造を示す斜視図である。
【図４７】本考案の第４１実施例の構造を示す斜視図である。
【図４８】本考案の第４２実施例の構造を示す斜視図である。
【図４９】本考案の第３７実施例の使用状態を示す図である。
【図５０】本考案の第３７実施例の使用状態を示す図である。
【考案を実施するための形態】
【００２３】
以下、本考案の実施の形態を図に基づいて詳細に説明する。
【実施例】
【００２４】
（第１実施例）
本考案の第１実施例について、図１〜図５に基づいて説明する。
【００２５】
図１は、本考案の第１実施例の構造を示す斜視図である。
食器洗本体１０の内部に芯地２０が埋設され、芯地の中央には折り目２２が設けられている。食器洗本体１０にはスポンジが用いられ、芯地２０には、シリコン樹脂、エチレン−酢酸ビニル共重合体（ＥＶＡ）、ポリエチレン（ＰＥ）が用いられる。
【００２６】
図２は、本考案の第１実施例の断面図である。芯地２０の中央部両面に丸型の彫刻刀ですくい取ったような溝状の折り目２２が形成されている。また、芯地２０の周縁部は図に示すように刃物の刃の先端のような形状をしている。これによって食器洗本体１０の剛性が保たれる。
【００２７】
続いて図３、図４を用いて、第１実施例の使用状態を説明する。
図３、図４は第１実施例の食器洗を手に持ち、折り目に沿って少し折り曲げて被洗浄物の表面をなぞっている状態を示している。一般的な洗浄用スポンジでは、指で押しつけている箇所だけが被洗浄物に押し付けられるが、第１実施例の食器洗１は、芯地の剛性により、食器洗本体１０の端部全体が被洗浄物に均等に押し付けられている。
【００２８】
次に図５を用いて、第１実施例の食器洗１でプラスチック製の食品保存容器の蓋に設けられた細長い溝を洗浄する様子を説明する。
第１実施例の食器洗本体１０の先端角部が食品保存容器の蓋の溝に当てられている。一般的な洗浄用スポンジでは、剛性がないため角が溝の奥までぴたりと入り込むことはないが、第１実施例の食器洗１であれば芯地の剛性により、溝の奥まできれいに洗浄することができる。
【００２９】
（第２実施例〜第１７実施例）
次に、図６〜図２１を用いて、第２実施例〜第１７実施例の説明をする。
図６〜図２１の各図は、芯地２０に設けられた様々な折り目２２のパターンを示している。直線状の折り目２２が複数設けられたもの、曲線状の折り目２２が複数設けられたもの、さらには直線と曲線が組み合わされたものが示されている。
これらの実施例では、各々の折り目に沿って食器洗本体１０を折り曲げることができる。
そして、その折り曲げた部分にも剛性があるため、被洗浄物の溝幅が広い場合には、折り曲げた部分を溝に押し付けて溝の洗浄をすることができる。
【００３０】
（第１８実施例〜第２０実施例）
続いて、図２２〜図２４を用いて、芯地２０に設けられた貫通孔３０の説明をする。
図２２は、芯地２０に円形の貫通孔３０が設けられた第１８実施例を示している。図２３は、第１９実施例を示し、貫通孔３０の形状が楕円形である。図２４は第２０実施例を示し、貫通孔３０の形状が四角形である。これらは、芯地２０に設けられた貫通孔３０により、食器洗１の内部に芯地２０があることによる弊害、すなわち洗剤の通りと水切れが悪くなることを防いでいる。なお、第１８実施例〜第２０実施例における貫通孔３０の数又は大きさを増加させて芯地２０をメッシュ状にすることもできる。
【００３１】
（第２１実施例〜第２６実施例）
次に、図２５〜図３０を用いて、食器洗本体１０の外形が異なる実施例を説明する。
図２５〜図３０は、対向する平面部と平面部間の側壁部を有する第２１実施例〜第２６実施例を示している。平面部の形状は、用途によって設定される。
【００３２】
（第２７実施例〜第３１実施例）
次に、図３１〜図３５を用いて、芯地２０と食器洗本体１０の形状の関係を説明する。
図３１〜図３５は、順に本考案の第２７実施例〜第３１実施例の構造を示す図である。
これらの実施例は対向する平面部とその平面部間の側壁部とから構成される外形を有している。その平面部は、第２７実施例が長方形、第２８実施例と第２９実施例が小判の中央部両側がくびれた形状、第３０実施例と第３１実施例が略鼓形である。
【００３３】
そして、各々の芯地２０は、芯地２０と同一の平面における食器洗本体１０の断面形状よりもひと回り小さい形状になっている。すなわち食器洗本体１０の平面部と芯地２０の形状がほぼ相似の関係にあることで、使用に際して食器洗本体１０の全ての側壁部において剛性を保つことが可能となる。芯地２０の外縁と食器洗本体１０の側壁表面との離隔距離は３ｍｍ〜７ｍｍが好ましい。芯地２０の外縁と食器洗本体１０の側壁表面との離隔距離が７ｍｍを超えると、食器洗本体１０の側壁表面の剛性が失われ、芯地２０の外縁と食器洗本体１０の側壁表面との離隔距離が３ｍｍよりも小さいと、食器洗本体１０の表面の洗浄効果が小さくなるからである。    
【００３４】
図３６は、第３０実施例の食器洗１で口部が絞られた円筒容器の口部内面を洗浄している状態を示している。食器洗本体１０の形状が略鼓形である効果で、食器洗本体１０が円筒容器の口部内面全体に接触していることが分かる。
【００３５】
図３７は、第３０実施例の食器洗１をさらに奥まで押し込んで、図３６と同じ円筒容器の底面を洗浄している状態を示している。芯地の剛性と略鼓形の形状により、円筒容器の底面の隅まで食器洗本体１０が接触していることが分かる。
【００３６】
（第３２実施例）
図３８は第３２実施例の構造を示した斜視図である。直方体の食器洗本体１０の中央に芯地２０が埋設されている。そして芯地２０の中央部には、左右一対のくびれ５０が設けられている。使用時にこのくびれ５０の部分を指で掴むと食器洗１が持ち易い。
【００３７】
（第３３実施例〜第３６実施例）
図３９〜図４２は、順に第３３実施例〜第３６実施例を示している。第３３実施例には長方形の芯地２０の長辺に左右一対のくびれ５０が設けられ、第３４実施例には、長方形の芯地２０の短辺に左右一対のくびれが設けられている。
また、第３５実施例では長方形の芯地２０の長辺全体に大きく孤を描くようにくびれ５０が設けられている。そして第３６実施例では、長方形の芯地２０の４辺全てにくびれ５０が設けられている。    
【００３８】
（第３７実施例〜第４２実施例）
図４３〜図４８は、順に第３７実施例〜第４２実施例を示している。
図４３は、食器洗本体１０の対向する平面部間の一つの側壁部表面から両平面間を貫通する態様で食器洗本体１０の内部に向かって、複数の切れ目６０が設けられている食器洗１の構造を示している。そして芯地２０の切れ目６０の終端部には切れ目の幅よりも直径が大きい円形の孔が設けられている。
使用による切れ目６０の終端部の劣化を防止するためである。
図４４〜図４８には、切れ目６０の異なった配置パターンが示されている。各実施例において、芯地２０の切れ目の幅を食器洗本体１０の切れ目の幅よりも広くすることで、箸等の少し厚みのある被洗浄物を切れ目に挟み込んで、洗浄することもできる。
【００３９】
図４９は、第３７実施例の食器洗１を用いて、表面に曲面を有する被洗浄物を洗浄する様子を示した図である。切れ目で分離された各々の部分が独立して被洗浄物の表面を摺動することで、曲面の全てをきれいに洗浄することができる。
【００４０】
続いて図５０は、同じく第３７実施例の食器洗１を用いて、弁当箱のような形状の被洗浄物を洗浄する様子を示した図である。被洗浄物の底面から立ち上がっている側壁部を食器洗１の切れ目で挟み込むことで、側壁部の内外両面全体を同時に洗浄することができる。
【符号の説明】
【００４１】
１      食器洗
１０    食器洗本体
２０    芯地  
２２    折り目
３０    貫通孔
５０    くびれ
６０    切れ目
【図１】
0003220951.tif 000003
【図２】
0003220951.tif 000004
【図３】
0003220951.tif 000005
【図４】
0003220951.tif 000006
【図５】
0003220951.tif 000007
【図６】
0003220951.tif 000008
【図７】
0003220951.tif 000009
【図８】
0003220951.tif 000010
【図９】
0003220951.tif 000011
【図１０】
0003220951.tif 000012
【図１１】
0003220951.tif 000013
【図１２】
0003220951.tif 000014
【図１３】
0003220951.tif 000015
【図１４】
0003220951.tif 000016
【図１５】
0003220951.tif 000017
【図１６】
0003220951.tif 000018
【図１７】
0003220951.tif 000019
【図１８】
0003220951.tif 000020
【図１９】
0003220951.tif 000021
【図２０】
0003220951.tif 000022
【図２１】
0003220951.tif 000023
【図２２】
0003220951.tif 000024
【図２３】
0003220951.tif 000025
【図２４】
0003220951.tif 000026
【図２５】
0003220951.tif 000027
【図２６】
0003220951.tif 000028
【図２７】
0003220951.tif 000029
【図２８】
0003220951.tif 000030
【図２９】
0003220951.tif 000031
【図３０】
0003220951.tif 000032
【図３１】
0003220951.tif 000033
【図３２】
0003220951.tif 000034
【図３３】
0003220951.tif 000035
【図３４】
0003220951.tif 000036
【図３５】
0003220951.tif 000037
【図３６】
0003220951.tif 000038
【図３７】
0003220951.tif 000039
【図３８】
0003220951.tif 000040
【図３９】
0003220951.tif 000041
【図４０】
0003220951.tif 000042
【図４１】
0003220951.tif 000043
【図４２】
0003220951.tif 000044
【図４３】
0003220951.tif 000045
【図４４】
0003220951.tif 000046
【図４５】
0003220951.tif 000047
【図４６】
0003220951.tif 000048
【図４７】
0003220951.tif 000049
【図４８】
0003220951.tif 000050
【図４９】
0003220951.tif 000051
【図５０】
0003220951.tif 000052